(57)【特許請求の範囲】
【請求項１】
複数の異なる波長の信号光を多重化し、双方向伝送路を介して第１の送受信端と第２の送受信端との間で双方向波長多重通信を行う双方向波長多重光通信システムであって、
前記第１および第２の送受信端の各々は、
双方向伝送路に接続された第１の入出力ポート、および送信すべき複数の異なる波長の信号光がそれぞれ入力されるとともに、受信した複数の異なる波長の信号光がそれぞれ出力される第２の複数の入出力ポートを備え、該第２の複数の入出力ポートから入力された複数の異なる波長の信号光を多重化して第１の入出力ポートを介して双方向伝送路に送出し、第１の入出力ポートを介して双方向伝送路から受信した複数の異なる波長の多重化信号光を分波して第２の複数の入出力ポートから出力するように作用する共通化合分波器と、
該共通化合分波器の第２の複数の入出力ポートにそれぞれ接続された複数の入出力端、送信すべき複数の異なる波長の信号光がそれぞれ入力される複数の入力端、および受信した複数の異なる波長の信号光がそれぞれ出力される複数の出力端を備えた複数のサーキュレータであって、複数の入力端から入力された複数の異なる波長の信号光を複数の入出力端から出力して、前記共通化合分波器の第２の複数の入出力ポートに入力し、共通化合分波器の第１の入出力ポートから双方向伝送路に送出し、該第１の入出力ポートを介して双方向伝送路から受信した複数の異なる波長の信号光を複数の第２の入出力ポートを介して前記複数のサーキュレータの複数の入出力端にそれぞれ入力し、該複数のサーキュレータの複数の出力端から出力する複数のサーキュレータとを有し、
第１の送受信端から双方向伝送路を介して第２の送受信端に送信される第１の方向の信号光と第２の送受信端から双方向伝送路を介して第１の送受信端に送信される第２の方向の信号光は波長が同じであること
を特徴とする双方向波長多重光通信システム。
【請求項２】
複数の異なる波長の信号光を多重化し、上りおよび下り用の別々の単方向伝送路を介して第１の送受信端と第２の送受信端との間で双方向波長多重通信を行う双方向波長多重光通信システムであって、
前記第１および第２の送受信端の各々は、
相手側送受信端に対して信号光を伝送する単方向伝送路に接続された出力端、相手側送受信端からの信号光が伝送されてくる単方向伝送路に接続された入力端、および信号光が入出力する入出力端を備え、入出力端から入力された信号光を出力端から出力し、入力端から入力された信号光を入出力端に出力するように作用する第１のサーキュレータと、
該第１のサーキュレータの入出力端に接続された第１の入出力ポート、および送信すべき複数の異なる波長の信号光がそれぞれ入力されるとともに、受信した複数の異なる波長の信号光がそれぞれ出力される第２の複数の入出力ポートを備え、該第２の複数の入出力ポートから入力された複数の異なる波長の信号光を多重化して第１の入出力ポートを介してサーキュレータの入出力端に出力し、サーキュレータの入出力端から出力端を介して相手側送受信端への信号光伝送用の単方向伝送路に送出し、第１の入出力ポートを介してサーキュレータの入出力端から受信した複数の異なる波長の多重化信号光を分波して第２の複数の入出力ポートから出力するように作用する共通化合分波器と、
該共通化合分波器の第２の複数の入出力ポートにそれぞれ接続された複数の入出力端、送信すべき複数の異なる波長の信号光がそれぞれ入力される複数の入力端、および受信した複数の異なる波長の信号光がそれぞれ出力される複数の出力端を備えた第２の複数のサーキュレータであって、複数の入力端から入力された複数の異なる波長の信号光を複数の入出力端から出力して、前記共通化合分波器の第２の複数の入出力ポートに入力し、共通化合分波器の第１の入出力ポートから第１のサーキュレータの入出力端に送出し、該第１の入出力ポートを介して第１のサーキュレータの入出力端から受信した複数の異なる波長の多重化信号光を複数の第２の入出力ポートから分波して出力し、前記第２の複数のサーキュレータの複数の入出力端にそれぞれ入力し、該第２の複数のサーキュレータの複数の出力端から出力する第２の複数のサーキュレータとを有し、
一方の送受信端から他方の送受信端への信号光伝送用の単方向伝送路を介して他方の送受信端に送信される第１の方向の信号光と他方の送受信端から一方の送受信端への信号光伝送用の単方向伝送路を介して一方の送受信端に送信される第２の方向の信号光は波長が同じであること
を特徴とする双方向波長多重光通信システム。
【請求項３】
複数の異なる波長の信号光を多重化し、上りおよび下り用の別々の単方向伝送路を介して第１の送受信端と第２の送受信端との間で双方向波長多重通信を行う双方向波長多重光通信システムであって、
前記第１および第２の送受信端の各々は、
第１乃至第ｎの複数の送受信端側ポートと単方向伝送路にそれぞれ接続される第１および第２の伝送路側ポートを有し、第１乃至第ｎの複数の波長の多重化信号光が第１の伝送路側ポートから入力されると、該第１乃至第ｎの複数の波長の多重化信号光は分波されて、第１乃至第ｎの複数の送受信端側ポートから別々に出力され、第１乃至第ｎの複数の波長の多重化信号光が第２の伝送路側ポートに入力されると、該第１乃至第ｎの複数の波長のうち第１乃至第ｎ−１の複数の波長の多重化信号光は分波され１波長ずつずらされて、第２乃至第ｎの送受信端側ポートから別々に出力され、第１乃至第ｎの複数の波長の信号光が第１乃至第ｎの複数の送受信端側ポートに入力されると、該第１乃至第ｎの複数の波長の信号光は多重化され、第１の伝送路側ポートから出力され、第１乃至第ｎ−１の複数の波長の信号光が第２乃至第ｎの送受信端側ポートに入力されると、該第１乃至第ｎ−１の複数の波長の信号光は多重化され、第２の伝送路側ポートから出力される共通化合分波器を有し、
第１の送受信端においては、共通化合分波器の第１の伝送路側ポートを第２の送受信端に信号光を伝送する一方の単方向伝送路に接続し、共通化合分波器の第２の伝送路側ポートを第２の送受信端から信号光が伝送されてくる他方の単方向伝送路に接続し、第１、第３、…、第ｎ−１の奇数番目の複数の波長の信号光を共通化合分波器の第１、第３、…、第ｎ−１の複数の奇数番目の送受信端側ポートに入力して多重化し、この多重化された第１、第３、…、第ｎ−１の複数の波長の信号光を第１の伝送路側ポートから一方の単方向伝送路に送出し、他方の単方向伝送路から共通化合分波器の第２の伝送路側ポートに入力される第１、第３、…、第ｎ−１の奇数番目の複数の波長の多重化信号光は共通化合分波器で分波され、共通化合分波器の第２、第４、…、第ｎの偶数番目の複数の送受信端側ポートから別々に出力されて受信され、
第２の送受信端においては、共通化合分波器の第１の伝送路側ポートを第１の送受信端から信号光が伝送されてくる一方の単方向伝送路に接続し、共通化合分波器の第２の伝送路側ポートを第１の送受信端に信号光を伝送する他方の単方向伝送路に接続し、第１、第３、…、第ｎ−１の奇数番目の複数の波長の信号光を共通化合分波器の第２、第４、…、第ｎの複数の偶数番目の送受信端側ポートに入力して多重化し、この多重化された第１、第３、…、第ｎ−１の複数の波長の信号光を第２の伝送路側ポートから他方の単方向伝送路に送出し、一方の単方向伝送路から共通化合分波器の第１の伝送路側ポートに入力される第１、第３、…、第ｎ−１の奇数番目の複数の波長の多重化信号光は共通化合分波器で分波され、共通化合分波器の第１、第３、…、第ｎ−１の奇数番目の複数の送受信端側ポートから別々に出力されて受信されること
を特徴とする双方向波長多重光通信システム。
【請求項４】
複数の異なる波長の信号光を多重化し、上りおよび下り用の別々の単方向伝送路を介して第１の送受信端と第２の送受信端との間で双方向波長多重通信を行う双方向波長多重光通信システムであって、
第１および第２の送受信端の各々は、
第１乃至第ｎ＋１の複数の送受信端側ポートと単方向伝送路にそれぞれ接続される第１および第２の伝送路側ポートを有し、第１乃至第ｎの複数の波長の多重化信号光が第１の伝送路側ポートから入力されると、第１乃至第ｎの波長は分波されて、それぞれ第１乃至第ｎの送受信端側ポートから別々に出力され、第１乃至第ｎの複数の波長がそれぞれ第１乃至第ｎの複数の送受信端側ポートから入力されると、第１乃至第ｎの複数の波長は多重化されて第１の伝送路側ポートから出力され、第１乃至第ｎの複数の波長の多重化信号光が第２の伝送路側ポートから入力されると、第１乃至第ｎの波長は分波されるとともに、１波長分ずつずれて、それぞれ第２乃至第ｎ＋１の送受信端側ポートから別々に出力され、第１乃至第ｎの複数の波長がそれぞれ第２乃至第ｎ＋１の複数の送受信端側ポートから入力されると、第１乃至第ｎの複数の波長は多重化されて第２の伝送路側ポートから出力される共通化合分波器と、
該共通化合分波器の第２乃至第ｎの送受信端側ポートの各々に入出力端が接続された第２乃至第ｎの複数のサーキュレータとを有し、
第１の送受信端においては、共通化合分波器の第１の伝送路側ポートを第２の送受信端に信号光を伝送する一方の単方向伝送路に接続し、共通化合分波器の第２の伝送路側ポートを第２の送受信端から信号光が伝送されてくる他方の単方向伝送路に接続し、第２の送受信端に送信すべき第１乃至第ｎの波長の複数の信号光のうち、第１の波長の信号光は共通化合分波器の第１の送受信端側ポートに直接入力され、第２乃至第ｎの波長の複数の信号光はそれぞれ前記複数のサーキュレータの入力端から入出力端を介して共通化合分波器の第２乃至第ｎの送受信端側ポートに入力され、第１乃至第ｎの送受信端側ポートに入力された第１乃至第ｎの複数の波長は共通化合分波器で多重化されて、第１の伝送路側ポートから一方の単方向伝送路に送出され、他方の単方向伝送路から共通化合分波器の第２の伝送路側ポートに入力する第１乃至第ｎの波長の複数の多重化信号光は共通化合分波器で分波され、第１乃至第ｎ−１の波長の複数の信号光が第２乃至第ｎの送受信端側ポートから複数のサーキュレータの入出力端を介して該サーキュレータの出力端から出力されて受信され、第ｎの信号光が第ｎ＋１の送受信端側ポートから直接出力されて受信され、
第２の送受信端においては、共通化合分波器の第１の伝送路側ポートを第１の送受信端から信号光が伝送されてくる一方の単方向伝送路に接続し、共通化合分波器の第２の伝送路側ポートを第１の送受信端に信号光を伝送する他方の単方向伝送路に接続し、前記一方の単方向伝送路から共通化合分波器の第１の伝送路側ポートに入力する第１乃至第ｎの波長の複数の多重化信号光は共通化合分波器で分波され、この分波された複数の信号光のうち第１の波長の信号光は共通化合分波器の第１の送受信端側ポートから直接出力されて受信され、第２乃至第ｎの波長の複数の信号光はそれぞれ前記複数のサーキュレータの入出力端を介して出力端から出力されて受信され、送信すべき第１乃至第ｎの波長の複数の信号光のうち、第１乃至第ｎ−１の波長の複数の信号光は前記サーキュレータの入力端から入出力端を介して共通化合分波器の第２乃至第ｎの送受信端側ポートに入力され、第ｎの波長の信号光は共通化合分波器の第ｎ＋１の送受信側入出力ポートに直接入力し、第２乃至第ｎ＋１の送受信端側ポートに入力された第１乃至第ｎの複数の波長は共通化合分波器で多重化されて、第２の伝送路側ポートから他方の単方向伝送路に送出されること
を特徴とする双方向波長多重光通信システム。
【請求項５】
複数の異なる波長の信号光を多重化し、上りおよび下り用の別々の単方向伝送路を介して第１の送受信端と第２の送受信端との間で双方向波長多重通信を行う双方向波長多重光通信システムであって、
前記第１および第２の送受信端の各々は、
第１乃至第ｎの複数の送受信端側ポートと単方向伝送路にそれぞれ接続される第１および第２の伝送路側ポートを有し、第１乃至第ｎの複数の波長の多重化信号光が第１の伝送路側ポートから入力されると、第１乃至第ｎの波長は分波されて、この分波された第１乃至第ｎの波長の複数の信号光はそれぞれ共通化合分波器の第１乃至第ｎの送受信端側ポートから別々に出力され、第１乃至第ｎの複数の波長の信号光がそれぞれ第１乃至第ｎの複数の送受信端側ポートから入力されると、第１乃至第ｎの複数の波長は多重化されて第１の伝送路側ポートから出力され、第１乃至第ｎの複数の波長の多重化信号光が第２の伝送路側ポートから入力されると、第１乃至第ｎの波長は分波されて、この分波された第１乃至第ｎの波長のうち、第１乃至第ｎ−１の波長の信号光は共通化合分波器の第２乃至第ｎの送受信端側ポートから別々に出力され、第ｎの波長の信号光は共通化合分波器の第１の送受信端側ポートから出力され、第１乃至第ｎの波長のうち第１乃至第ｎ−１の波長の信号光が共通化合分波器の第２乃至第ｎの複数の送受信端側ポートに入力され、第ｎの波長の信号光が第１の送受信端側ポートに入力されると、この入力された第１乃至第ｎの複数の波長は多重化されて第２の伝送路側ポートから出力される共通化合分波器と、
該共通化合分波器の第１乃至第ｎの送受信端側ポートの各々に入出力端が接続された第１乃至第ｎの複数のサーキュレータとを有し、
第１の送受信端においては、共通化合分波器の第１の伝送路側ポートを第２の送受信端に信号光を伝送する一方の単方向伝送路に接続し、共通化合分波器の第２の伝送路側ポートを第２の送受信端から信号光が伝送されてくる他方の単方向伝送路に接続し、第２の送受信端に送信すべき第１乃至第ｎの波長の複数の信号光はそれぞれ前記第１乃至第ｎの複数のサーキュレータの入力端から入出力端を介して共通化合分波器の第１乃至第ｎの送受信端側ポートに入力され、共通化合分波器で多重化されて、第１の伝送路側ポートから一方の単方向伝送路に送出され、他方の単方向伝送路から共通化合分波器の第２の伝送路側ポートに入力する第１乃至第ｎの波長の複数の多重化信号光は共通化合分波器で分波され、第１乃至第ｎ−１の波長の複数の信号光は第２乃至第ｎの送受信端側ポートから第２乃至第ｎの複数のサーキュレータの入出力端を介して該サーキュレータの出力端から出力されて受信され、第ｎの波長の信号光は共通化合分波器の第１の送受信端側ポートから第１のサーキュレータの入出力端を介して該サーキュレータの出力端から出力されて受信され、
第２の送受信端においては、共通化合分波器の第１の伝送路側ポートを第１の送受信端から信号光が伝送されてくる一方の単方向伝送路に接続し、共通化合分波器の第２の伝送路側ポートを第１の送受信端に信号光を伝送する他方の単方向伝送路に接続し、前記一方の単方向伝送路から共通化合分波器の第１の伝送路側ポートに入力する第１乃至第ｎの波長の複数の多重化信号光は共通化合分波器で分波され、この分波された第１乃至第ｎの複数の波長の信号光は第１乃至第ｎの送受信端側ポートから第１乃至第ｎの複数のサーキュレータの入出力端を介して該サーキュレータの出力端から出力されて受信され、送信すべき第１乃至第ｎの波長の複数の信号光のうち、第１乃至第ｎ−１の波長の複数の信号光はそれぞれ前記第２乃至第ｎの複数のサーキュレータの入力端から入出力端を介して共通化合分波器の第２乃至第ｎの送受信端側ポートに入力され、第ｎの波長の信号光は第１のサーキュレータの入力端から入出力端を介して共通化合分波器の第１の送受信端側ポートに入力し、この入力した第１乃至第ｎの複数の波長の信号光は共通化合分波器で多重化されて、第２の伝送路側ポートから他方の単方向伝送路に送出されること
を特徴とする双方向波長多重光通信システム。
【請求項６】
前記共通化合分波器は、導波路グレーテングで構成されることを特徴とする請求項１乃至５のいずれかに記載の双方向波長多重光通信システム。
【発明の詳細な説明】
【０００１】
【発明の属する技術分野】
本発明は、複数の異なる波長の信号光を多重化し、双方向伝送路または上りおよび下り用の別々の単方向伝送路を介して第１の送受信端と第２の送受信端との間で双方向波長多重通信を行う双方向波長多重光通信システムに関する。
【０００２】
【従来の技術】
この種の従来の双方向波長多重光通信システムは、図１１に示すように、複数の異なる波長λ１〜λ８の信号光の合分波に複数の合波器および分波器を構成する導波路グレーテング５３，５４，５９，６０を使用している。更に詳しくは、双方向伝送路７を介して接続される左側の第１の送受信端と右側の第２の送受信端との間で双方向波長多重光通信を行うために、第１の送受信端においては複数の送信器１ａ〜１ｈから出力される波長λ１〜λ８の信号光を導波路グレーテング５３で多重化し、サーキュレータ５５を介して双方向伝送路７に送出する。この双方向伝送路７に送出された波長λ１〜λ８の信号光は第２の送受信端のサーキュレータ５７を介して導波路グレーテング５９に入力して分波され、複数の受信器１１ａ〜１１ｈで受信される。
【０００３】
また、第２の送受信端において複数の送信器１５ａ〜１５ｈから出力される波長λ１〜λ８の信号光は、導波路グレーテング６０で多重化され、サーキュレータ５７を介して双方向伝送路７に送出される。その双方向伝送路７に送出された波長λ１〜λ８の信号光は第１の送受信端のサーキュレータ５５を介して導波路グレーテング５４に入力して分波され、複数の受信器５ａ〜５ｈで受信されるというように複数の異なる波長λ１〜λ８の信号光は双方向伝送路７を波長多重されて伝送される。
【０００４】
【発明が解決しようとする課題】
上述した従来の双方向波長多重光通信システムでは、複数の波長の異なる信号光の合分波のために、複数、すなわち４個の導波路グレーテングを必要であるため、高価であるという問題があり、合分波器を共通化することが要望されている。
【０００５】
本発明は、上記に鑑みてなされたもので、その目的とするところは、送受信において合分波器を共通化して経済化および小型化を図った双方向波長多重光通信システムを提供することにある。
【０００８】
【課題を解決するための手段】
上記目的を達成するため、請求項１記載の本発明は、複数の異なる波長の信号光を多重化し、双方向伝送路を介して第１の送受信端と第２の送受信端との間で双方向波長多重通信を行う双方向波長多重光通信システムであって、前記第１および第２の送受信端の各々が、双方向伝送路に接続された第１の入出力ポート、および送信すべき複数の異なる波長の信号光がそれぞれ入力されるとともに、受信した複数の異なる波長の信号光がそれぞれ出力される第２の複数の入出力ポートを備え、該第２の複数の入出力ポートから入力された複数の異なる波長の信号光を多重化して第１の入出力ポートを介して双方向伝送路に送出し、第１の入出力ポートを介して双方向伝送路から受信した複数の異なる波長の多重化信号光を分波して第２の複数の入出力ポートから出力するように作用する共通化合分波器と、該共通化合分波器の第２の複数の入出力ポートにそれぞれ接続された複数の入出力端、送信すべき複数の異なる波長の信号光がそれぞれ入力される複数の入力端、および受信した複数の異なる波長の信号光がそれぞれ出力される複数の出力端を備えた複数のサーキュレータであって、複数の入力端から入力された複数の異なる波長の信号光を複数の入出力端から出力して、前記共通化合分波器の第２の複数の入出力ポートに入力し、共通化合分波器の第１の入出力ポートから双方向伝送路に送出し、該第１の入出力ポートを介して双方向伝送路から受信した複数の異なる波長の信号光を複数の第２の入出力ポートを介して前記複数のサーキュレータの複数の入出力端にそれぞれ入力し、該複数のサーキュレータの複数の出力端から出力する複数のサーキュレータとを有し、第１の送受信端から双方向伝送路を介して第２の送受信端に送信される第１の方向の信号光と第２の送受信端から双方向伝送路を介して第１の送受信端に送信される第２の方向の信号光は波長が同じであることを要旨とする。
【０００９】
請求項１記載の本発明にあっては、第１の送受信端において送信すべき複数の異なる波長の信号光は複数のサーキュレータの入力端から入出力端を介して共通化合分波器に入力し多重化されて双方向伝送路に送信され、第２の送受信端において共通化合分波器で受信されて分波され、複数のサーキュレータの入出力端から出力端を介して出力され、また第２の送受信端において送信すべき複数の異なる波長の信号光は複数のサーキュレータの入力端から入出力端を介して共通化合分波器に入力し多重化されて双方向伝送路に送信され、第１の送受信端において共通化合分波器で受信されて分波され、複数のサーキュレータの入出力端から出力端を介して出力されるため、共通化合分波器が送受信で共通化され、効率的で経済的な合分波を行うことができるとともに、また送受信で同じ複数の波長を使用することができる。
【００１２】
また、請求項２記載の本発明は、複数の異なる波長の信号光を多重化し、上りおよび下り用の別々の単方向伝送路を介して第１の送受信端と第２の送受信端との間で双方向波長多重通信を行う双方向波長多重光通信システムであって、前記第１および第２の送受信端の各々が、相手側送受信端に対して信号光を伝送する単方向伝送路に接続された出力端、相手側送受信端からの信号光が伝送されてくる単方向伝送路に接続された入力端、および信号光が入出力する入出力端を備え、入出力端から入力された信号光を出力端から出力し、入力端から入力された信号光を入出力端に出力するように作用する第１のサーキュレータと、該第１のサーキュレータの入出力端に接続された第１の入出力ポート、および送信すべき複数の異なる波長の信号光がそれぞれ入力されるとともに、受信した複数の異なる波長の信号光がそれぞれ出力される第２の複数の入出力ポートを備え、該第２の複数の入出力ポートから入力された複数の異なる波長の信号光を多重化して第１の入出力ポートを介してサーキュレータの入出力端に出力し、サーキュレータの入出力端から出力端を介して相手側送受信端への信号光伝送用の単方向伝送路に送出し、第１の入出力ポートを介してサーキュレータの入出力端から受信した複数の異なる波長の多重化信号光を分波して第２の複数の入出力ポートから出力するように作用する共通化合分波器と、該共通化合分波器の第２の複数の入出力ポートにそれぞれ接続された複数の入出力端、送信すべき複数の異なる波長の信号光がそれぞれ入力される複数の入力端、および受信した複数の異なる波長の信号光がそれぞれ出力される複数の出力端を備えた第２の複数のサーキュレータであって、複数の入力端から入力された複数の異なる波長の信号光を複数の入出力端から出力して、前記共通化合分波器の第２の複数の入出力ポートに入力し、共通化合分波器の第１の入出力ポートから第１のサーキュレータの入出力端に送出し、該第１の入出力ポートを介して第１のサーキュレータの入出力端から受信した複数の異なる波長の多重化信号光を複数の第２の入出力ポートから分波して出力し、前記第２の複数のサーキュレータの複数の入出力端にそれぞれ入力し、該第２の複数のサーキュレータの複数の出力端から出力する第２の複数のサーキュレータとを有し、一方の送受信端から他方の送受信端への信号光伝送用の単方向伝送路を介して他方の送受信端に送信される第１の方向の信号光と他方の送受信端から一方の送受信端への信号光伝送用の単方向伝送路を介して一方の送受信端に送信される第２の方向の信号光は波長が同じであることを要旨とする。
【００１３】
請求項２記載の本発明にあっては、第１の送受信端において送信すべき複数の異なる波長の信号光は第２の複数のサーキュレータの入力端から入出力端を介して共通化合分波器に入力し多重化されて第１のサーキュレータの入出力端から出力端を介して双方向伝送路に送信され、第２の送受信端において第１のサーキュレータの入力端から入出力端を介して共通化合分波器で受信されて分波され、第２の複数のサーキュレータの入出力端から出力端を介して出力され、また第２の送受信端において送信すべき複数の異なる波長の信号光は第２の複数のサーキュレータの入力端から入出力端を介して共通化合分波器に入力し多重化されて第１のサーキュレータの入出力端から出力端を介して双方向伝送路に送信され、第１の送受信端において第１のサーキュレータの入力端から入出力端を介して共通化合分波器で受信されて分波され、第２の複数のサーキュレータの入出力端から出力端を介して出力されるため、共通化合分波器が送受信で共通化され、効率的で経済的な合分波を行うことができるとともに、また送受信で同じ複数の波長を使用することができる。
【００１４】
また、請求項３記載の本発明は、複数の異なる波長の信号光を多重化し、上りおよび下り用の別々の単方向伝送路を介して第１の送受信端と第２の送受信端との間で双方向波長多重通信を行う双方向波長多重光通信システムであって、前記第１および第２の送受信端の各々が、第１乃至第ｎの複数の送受信端側ポートと単方向伝送路にそれぞれ接続される第１および第２の伝送路側ポートを有し、第１乃至第ｎの複数の波長の多重化信号光が第１の伝送路側ポートから入力されると、該第１乃至第ｎの複数の波長の多重化信号光は分波されて、第１乃至第ｎの複数の送受信端側ポートから別々に出力され、第１乃至第ｎの複数の波長の多重化信号光が第２の伝送路側ポートに入力されると、該第１乃至第ｎの複数の波長のうち第１乃至第ｎ−１の複数の波長の多重化信号光は分波され１波長ずつずらされて、第２乃至第ｎの送受信端側ポートから別々に出力され、第１乃至第ｎの複数の波長の信号光が第１乃至第ｎの複数の送受信端側ポートに入力されると、該第１乃至第ｎの複数の波長の信号光は多重化され、第１の伝送路側ポートから出力され、第１乃至第ｎ−１の複数の波長の信号光が第２乃至第ｎの送受信端側ポートに入力されると、該第１乃至第ｎ−１の複数の波長の信号光は多重化され、第２の伝送路側ポートから出力される共通化合分波器を有し、第１の送受信端においては、共通化合分波器の第１の伝送路側ポートを第２の送受信端に信号光を伝送する一方の単方向伝送路に接続し、共通化合分波器の第２の伝送路側ポートを第２の送受信端から信号光が伝送されてくる他方の単方向伝送路に接続し、第１、第３、…、第ｎ−１の奇数番目の複数の波長の信号光を共通化合分波器の第１、第３、…、第ｎ−１の複数の奇数番目の送受信端側ポートに入力して多重化し、この多重化された第１、第３、…、第ｎ−１の複数の波長の信号光を第１の伝送路側ポートから一方の単方向伝送路に送出し、他方の単方向伝送路から共通化合分波器の第２の伝送路側ポートに入力される第１、第３、…、第ｎ−１の奇数番目の複数の波長の多重化信号光は共通化合分波器で分波され、共通化合分波器の第２、第４、…、第ｎの偶数番目の複数の送受信端側ポートから別々に出力されて受信され、第２の送受信端においては、共通化合分波器の第１の伝送路側ポートを第１の送受信端から信号光が伝送されてくる一方の単方向伝送路に接続し、共通化合分波器の第２の伝送路側ポートを第１の送受信端に信号光を伝送する他方の単方向伝送路に接続し、第１、第３、…、第ｎ−１の奇数番目の複数の波長の信号光を共通化合分波器の第２、第４、…、第ｎの複数の偶数番目の送受信端側ポートに入力して多重化し、この多重化された第１、第３、…、第ｎ−１の複数の波長の信号光を第２の伝送路側ポートから他方の単方向伝送路に送出し、一方の単方向伝送路から共通化合分波器の第１の伝送路側ポートに入力される第１、第３、…、第ｎ−１の奇数番目の複数の波長の多重化信号光は共通化合分波器で分波され、共通化合分波器の第１、第３、…、第ｎ−１の奇数番目の複数の送受信端側ポートから別々に出力されて受信されることを要旨とする。
【００１５】
請求項３記載の本発明にあっては、第１の送受信端において送信すべき複数の異なる波長の信号光は共通化合分波器で多重化されて一方の単方向伝送路に送信されて、第２の送受信端において共通化合分波器で受信され分波されて出力され、また第２の送受信端において送信すべき複数の異なる波長の信号光は共通化合分波器で多重化されて他方の単方向伝送路に送信されて、第１の送受信端において共通化合分波器で受信され分波されて出力されるため、共通化合分波器が送受信で共通化され、効率的で経済的な合分波を行うことができる。
【００１６】
更に、請求項４記載の本発明は、複数の異なる波長の信号光を多重化し、上りおよび下り用の別々の単方向伝送路を介して第１の送受信端と第２の送受信端との間で双方向波長多重通信を行う双方向波長多重光通信システムであって、第１および第２の送受信端の各々が、第１乃至第ｎ＋１の複数の送受信端側ポートと単方向伝送路にそれぞれ接続される第１および第２の伝送路側ポートを有し、第１乃至第ｎの複数の波長の多重化信号光が第１の伝送路側ポートから入力されると、第１乃至第ｎの波長は分波されて、それぞれ第１乃至第ｎの送受信端側ポートから別々に出力され、第１乃至第ｎの複数の波長がそれぞれ第１乃至第ｎの複数の送受信端側ポートから入力されると、第１乃至第ｎの複数の波長は多重化されて第１の伝送路側ポートから出力され、第１乃至第ｎの複数の波長の多重化信号光が第２の伝送路側ポートから入力されると、第１乃至第ｎの波長は分波されるとともに、１波長分ずつずれて、それぞれ第２乃至第ｎ＋１の送受信端側ポートから別々に出力され、第１乃至第ｎの複数の波長がそれぞれ第２乃至第ｎ＋１の複数の送受信端側ポートから入力されると、第１乃至第ｎの複数の波長は多重化されて第２の伝送路側ポートから出力される共通化合分波器と、該共通化合分波器の第２乃至第ｎの送受信端側ポートの各々に入出力端が接続された第２乃至第ｎの複数のサーキュレータとを有し、第１の送受信端においては、共通化合分波器の第１の伝送路側ポートを第２の送受信端に信号光を伝送する一方の単方向伝送路に接続し、共通化合分波器の第２の伝送路側ポートを第２の送受信端から信号光が伝送されてくる他方の単方向伝送路に接続し、第２の送受信端に送信すべき第１乃至第ｎの波長の複数の信号光のうち、第１の波長の信号光は共通化合分波器の第１の送受信端側ポートに直接入力され、第２乃至第ｎの波長の複数の信号光はそれぞれ前記複数のサーキュレータの入力端から入出力端を介して共通化合分波器の第２乃至第ｎの送受信端側ポートに入力され、第１乃至第ｎの送受信端側ポートに入力された第１乃至第ｎの複数の波長は共通化合分波器で多重化されて、第１の伝送路側ポートから一方の単方向伝送路に送出され、他方の単方向伝送路から共通化合分波器の第２の伝送路側ポートに入力する第１乃至第ｎの波長の複数の多重化信号光は共通化合分波器で分波され、第１乃至第ｎ−１の波長の複数の信号光が第２乃至第ｎの送受信端側ポートから複数のサーキュレータの入出力端を介して該サーキュレータの出力端から出力されて受信され、第ｎの信号光が第ｎ＋１の送受信端側ポートから直接出力されて受信され、第２の送受信端においては、共通化合分波器の第１の伝送路側ポートを第１の送受信端から信号光が伝送されてくる一方の単方向伝送路に接続し、共通化合分波器の第２の伝送路側ポートを第１の送受信端に信号光を伝送する他方の単方向伝送路に接続し、前記一方の単方向伝送路から共通化合分波器の第１の伝送路側ポートに入力する第１乃至第ｎの波長の複数の多重化信号光は共通化合分波器で分波され、この分波された複数の信号光のうち第１の波長の信号光は共通化合分波器の第１の送受信端側ポートから直接出力されて受信され、第２乃至第ｎの波長の複数の信号光はそれぞれ前記複数のサーキュレータの入出力端を介して出力端から出力されて受信され、送信すべき第１乃至第ｎの波長の複数の信号光のうち、第１乃至第ｎ−１の波長の複数の信号光は前記サーキュレータの入力端から入出力端を介して共通化合分波器の第２乃至第ｎの送受信端側ポートに入力され、第ｎの波長の信号光は共通化合分波器の第ｎ＋１の送受信側入出力ポートに直接入力し、第２乃至第ｎ＋１の送受信端側ポートに入力された第１乃至第ｎの複数の波長は共通化合分波器で多重化されて、第２の伝送路側ポートから他方の単方向伝送路に送出されることを要旨とする。
【００１７】
請求項４記載の本発明にあっては、第１の送受信端において送信すべき複数の異なる波長の信号光のうち第１の波長の信号光は共通化合分波器に直列入力され、第２以降の複数の波長の信号光は複数のサーキュレータの入力端から入出力端を介して共通化合分波器に入力されて、多重化され、一方の単方向伝送路に送信され、第２の送受信端において共通化合分波器で受信されて分波され、第１の波長は共通化合分波器の第１の送受信端側ポートから出力されて受信され、第２以降の波長は複数のサーキュレータの入出力端から出力端を介して出力されて受信され、また第２の送受信端において送信すべき複数の異なる波長のうち、最後の波長を除く他の波長の複数の信号光は複数のサーキュレータの入力端から入出力端を介して共通化合分波器に入力され、最後の波長の信号光は共通化合分波器に直接入力されて、多重化され、他方の単方向伝送路に送信され、第１の送受信端において共通化合分波器で受信されて分波され、最後の波長を除く他の波長の複数の信号光は複数のサーキュレータの入出力端から出力端を介して出力され、最後の波長の信号光は共通化合分波器から直接出力されて受信されるため、共通化合分波器が送受信で共通化され、効率的で経済的に合分波を行うことができるとともに、また送受信で同じ複数の波長を使用することができる。
【００１８】
請求項５記載の本発明は、複数の異なる波長の信号光を多重化し、上りおよび下り用の別々の単方向伝送路を介して第１の送受信端と第２の送受信端との間で双方向波長多重通信を行う双方向波長多重光通信システムであって、前記第１および第２の送受信端の各々が、第１乃至第ｎの複数の送受信端側ポートと単方向伝送路にそれぞれ接続される第１および第２の伝送路側ポートを有し、第１乃至第ｎの複数の波長の多重化信号光が第１の伝送路側ポートから入力されると、第１乃至第ｎの波長は分波されて、この分波された第１乃至第ｎの波長の複数の信号光はそれぞれ共通化合分波器の第１乃至第ｎの送受信端側ポートから別々に出力され、第１乃至第ｎの複数の波長の信号光がそれぞれ第１乃至第ｎの複数の送受信端側ポートから入力されると、第１乃至第ｎの複数の波長は多重化されて第１の伝送路側ポートから出力され、第１乃至第ｎの複数の波長の多重化信号光が第２の伝送路側ポートから入力されると、第１乃至第ｎの波長は分波されて、この分波された第１乃至第ｎの波長のうち、第１乃至第ｎ−１の波長の信号光は共通化合分波器の第２乃至第ｎの送受信端側ポートから別々に出力され、第ｎの波長の信号光は共通化合分波器の第１の送受信端側ポートから出力され、第１乃至第ｎの波長のうち第１乃至第ｎ−１の波長の信号光が共通化合分波器の第２乃至第ｎの複数の送受信端側ポートに入力され、第ｎの波長の信号光が第１の送受信端側ポートに入力されると、この入力された第１乃至第ｎの複数の波長は多重化されて第２の伝送路側ポートから出力される共通化合分波器と、該共通化合分波器の第１乃至第ｎの送受信端側ポートの各々に入出力端が接続された第１乃至第ｎの複数のサーキュレータとを有し、第１の送受信端においては、共通化合分波器の第１の伝送路側ポートを第２の送受信端に信号光を伝送する一方の単方向伝送路に接続し、共通化合分波器の第２の伝送路側ポートを第２の送受信端から信号光が伝送されてくる他方の単方向伝送路に接続し、第２の送受信端に送信すべき第１乃至第ｎの波長の複数の信号光はそれぞれ前記第１乃至第ｎの複数のサーキュレータの入力端から入出力端を介して共通化合分波器の第１乃至第ｎの送受信端側ポートに入力され、共通化合分波器で多重化されて、第１の伝送路側ポートから一方の単方向伝送路に送出され、他方の単方向伝送路から共通化合分波器の第２の伝送路側ポートに入力する第１乃至第ｎの波長の複数の多重化信号光は共通化合分波器で分波され、第１乃至第ｎ−１の波長の複数の信号光は第２乃至第ｎの送受信端側ポートから第２乃至第ｎの複数のサーキュレータの入出力端を介して該サーキュレータの出力端から出力されて受信され、第ｎの信号光は共通化合分波器の第１の送受信端側ポートから第１のサーキュレータの入出力端を介して該サーキュレータの出力端から出力されて受信され、第２の送受信端においては、共通化合分波器の第１の伝送路側ポートを第１の送受信端から信号光が伝送されてくる一方の単方向伝送路に接続し、共通化合分波器の第２の伝送路側ポートを第１の送受信端に信号光を伝送する他方の単方向伝送路に接続し、前記一方の単方向伝送路から共通化合分波器の第１の伝送路側ポートに入力する第１乃至第ｎの波長の複数の多重化信号光は共通化合分波器で分波され、この分波された第１乃至第ｎの複数の波長の信号光は第１乃至第ｎの送受信端側ポートから第１乃至第ｎの複数のサーキュレータの入出力端を介して該サーキュレータの出力端から出力されて受信され、送信すべき第１乃至第ｎの波長の複数の信号光のうち、第１乃至第ｎ−１の波長の複数の信号光はそれぞれ前記第１乃至第ｎの複数のサーキュレータの入力端から入出力端を介して共通化合分波器の第２乃至第ｎの送受信端側ポートに入力され、第ｎの波長の信号光は第ｎのサーキュレータの入力端から入出力端を介して共通化合分波器の第１の送受信端側ポートに入力し、この入力した第１乃至第ｎの複数の波長の信号光は共通化合分波器で多重化されて、第２の伝送路側ポートから他方の単方向伝送路に送出されることを要旨とする。
【００１９】
請求項５記載の本発明にあっては、第１の送受信端において送信すべき複数の異なる波長の信号光は複数のサーキュレータの入力端から入出力端を介して共通化合分波器に入力されて多重化され、一方の単方向伝送路に送信され、第２の送受信端において共通化合分波器で受信されて分波され、複数のサーキュレータの入出力端から出力端を介して出力されて受信され、また第２の送受信端において送信すべき複数の異なる波長の信号光は複数のサーキュレータの入力端から入出力端を介して共通化合分波器に入力されて多重化され、他方の単方向伝送路に送信され、第１の送受信端において共通化合分波器で受信されて分波され、複数のサーキュレータの入出力端から出力端を介して出力されて受信されるため、共通化合分波器が送受信で共通化され、効率的で経済的な合分波を行うことができるとともに、また送受信で同じ複数の波長を使用することができる。
【００２０】
また、請求項６記載の本発明は、請求項１乃至５のいずれかに記載の発明において、前記共通化合分波器が、導波路グレーテングで構成されることを要旨とする。
【００２１】
【発明の実施の形態】
以下、図面を用いて本発明の実施の形態を説明する。図１は、本発明の第１の実施形態に係る双方向波長多重光通信システムの構成を示す図である。同図に示す双方向波長多重光通信システムは、左側に位置する第１の送受信端と右側に位置する第２の送受信端との間で光ファイバからなる双方向伝送路７を介して双方向波長多重光通信を行うものであり、第１の送受信端は双方向伝送路７に入出力ポートが接続された共通化合分波器を構成する導波路グレーテング３を有し、この導波路グレーテング３の複数の入力ポートには複数の送信器１ａ〜１ｈが接続され、この複数の送信器１ａ〜１ｈからそれぞれ出力される複数の異なる波長λ１，λ３，λ５，λ７，λ９，λ１１，λ１３，λ１５の信号光が入力され、また導波路グレーテング３の複数の出力ポートには複数の受信器５ａ〜５ｈが接続され、複数の出力ポートからそれぞれ出力される複数の異なる波長λ２，λ４，λ６，λ８，λ１０，λ１２，λ１４，λ１６の信号光を受信器５ａ〜５ｈで受信するようになっている。
【００２２】
また、第２の送受信端も同様に双方向伝送路７に入出力ポートが接続された共通化合分波器を構成する導波路グレーテング９を有し、この導波路グレーテング９の複数の入力ポートには複数の送信器１５ａ〜１５ｈが接続され、この複数の送信器１５ａ〜１５ｈからそれぞれ出力される複数の異なる波長λ２，λ４，λ６，λ８，λ１０，λ１２，λ１４，λ１６の信号光が入力され、また導波路グレーテング３の複数の出力ポートには複数の受信器１１ａ〜１１ｈが接続され、複数の出力ポートからそれぞれ出力される複数の異なる波長λ１，λ３，λ５，λ７，λ９，λ１１，λ１３，λ１５の信号光を送信器１５ａ〜１５ｈで受信するようになっている。
【００２３】
このように構成される双方向波長多重光通信システムにおいては、一方の送受信端から他方の送受信端に伝送される上りの波長λ１，λ３，λ５，λ７，λ９，λ１１，λ１３，λ１５と他方の送受信端から一方の送受信端に伝送される下りの波長λ２，λ４，λ６，λ８，λ１０，λ１２，λ１４，λ１６とは、異なるように設定されているとともに、また上りの波長間隔と下りの波長間隔は同じに設定されている。そして、この場合に、各導波路グレーテング３，９の波長間隔は伝送信号の波長間隔に対して半分の周期を有するように設定されている。そして、一方の送受信端においては、導波路グレーテング３の奇数チャネルに送信信号を割り当て、偶数チャネルに受信信号を割り当て、他方の送受信端においては、逆に導波路グレーテング９の奇数チャネルに受信信号を割り当て、偶数チャネルに送信信号を割り当てるように設定している。このように上り、下りの波長、波長間隔、奇数、偶数チャネルへの送受信信号の割り当てを行うとともに、図１に示すように構成することにより、送受信において共通化された従来に比較して少ない２個の導波路グレーテング３，９を使用して、第１の送受信端と第２の送受信端との間で双方向伝送路７を介して双方向波長多重光通信を行うことができる。
【００２４】
図２は、本発明の第２の実施形態に係る双方向波長多重光通信システムの構成を示す図である。同図に示す双方向波長多重光通信システムは、上りおよび下り用の波長が同じ場合のものであり、サーキュレータ１２ａ〜１２ｈおよび２０ａ〜２０ｈを使用して、送信信号を共通化合分波器である導波路グレーテング１３，１９に供給し、受信信号を導波路グレーテング１３，１９から取り出すようにしているものである。
【００２５】
更に詳しくは、第１の送受信端において、導波路グレーテング１３の第１の入出力ポートが双方向伝送路７に接続され、導波路グレーテング１３の第２の複数の入出力ポートがサーキュレータ１２ａ〜１２ｈの複数の入出力端に接続されている。また、複数の異なる波長λ１〜λ８の信号光を送信する複数の送信器１ａ〜１ｈはサーキュレータ１２ａ〜１２ｈの複数の入力端に接続され、送信器１ａ〜１ｈからの複数の信号光はサーキュレータ１２ａ〜１２ｈの入力端から入出力端を介して導波路グレーテング１３の第２の複数の入出力ポートに入力され、導波路グレーテング１３の第１の入出力ポートから双方向伝送路７に送出され、第２の送受信端で受信されるようになっている。更に、サーキュレータ１２ａ〜１２ｈの複数の出力端には複数の異なる波長λ１〜λ８の信号光を受信する受信器５ａ〜５ｈが接続されている。
【００２６】
また、第２の送受信端においては、導波路グレーテング１９の第１の入出力ポートが双方向伝送路７に接続され、導波路グレーテング１９の第２の複数の入出力ポートがサーキュレータ２０ａ〜２０ｈの複数の入出力端に接続されている。また、複数の異なる波長λ１〜λ８の信号光を送信する複数の送信器１５ａ〜１５ｈはサーキュレータ２０ａ〜２０ｈの複数の入力端に接続され、送信器１５ａ〜１５ｈからの複数の信号光はサーキュレータ２０ａ〜２０ｈの入力端から入出力端を介して導波路グレーテング１９の第２の複数の入出力ポートに入力され、導波路グレーテング１９の第１の入出力ポートから双方向伝送路７に送出され、第１の送受信端で受信されるようになっている。更に、サーキュレータ２０ａ〜２０ｈの複数の出力端には複数の異なる波長λ１〜λ８の信号光を受信する受信器１１ａ〜１１ｈが接続されている。
【００２７】
このように構成される双方向波長多重光通信システムでは、第１の送受信端の複数の送信器１ａ〜１ｈから送出された波長λ１〜λ８の信号光は、サーキュレータ１２ａ〜１２ｈを介して導波路グレーテング１３に入力され多重化されて、双方向伝送路７に送出され、双方向伝送路７から第２の送受信端に送信される。第２の送受信端では、第１の送受信端から双方向伝送路７に送信された波長λ１〜λ８の信号光を導波路グレーテング１９で受信して、各波長λ１〜λ８の信号光に分波し、この分波された波長λ１〜λ８の信号光はそれぞれサーキュレータ２０ａ〜２０ｈを介して受信器１１ａ〜１１ｈで受信される。
【００２８】
また同様に、第２の送受信端の複数の送信器１５ａ〜１５ｈから送出された波長λ１〜λ８の信号光は、サーキュレータ２０ａ〜２０ｈを介して導波路グレーテング１９に入力され多重化されて、双方向伝送路７に送出され、双方向伝送路７から第１の送受信端に送信される。第１の送受信端では、第２の送受信端から双方向伝送路７に送信された波長λ１〜λ８の信号光を導波路グレーテング１３で受信して、各波長λ１〜λ８の信号光に分波し、この分波された波長λ１〜λ８の信号光はそれぞれサーキュレータ１２ａ〜１２ｈを介して受信器５ａ〜５ｈで受信される。
【００２９】
図３は、本発明の第３の実施形態に係る双方向波長多重光通信システムの構成を示す図である。同図に示す双方向波長多重光通信システムは、図１に示した双方向波長多重光通信システムにおいて双方向伝送路７の代わりに同様に光ファイバからなる上りおよび下り用の別々の単方向伝送路１７ａ，１７ｂを使用するとともに、そのために伝送路と導波路グレーテング３，９の間にサーキュレータ１８ａ，１８ｂを使用している点が異なるものであり、その他の構成および作用は同じである。
【００３０】
すなわち、第１の送受信端において複数の送信器１ａ〜１ｈから送出される送信信号は、導波路グレーテング３で多重化され、導波路グレーテング３からサーキュレータ１８ａを介して上り単方向伝送路１７ａに送出される。この上り単方向伝送路１７ａに送出された送信信号は、第２の送受信端において上り単方向伝送路１７ａから第２の送受信端のサーキュレータ１８ｂを介して導波路グレーテング９で受信され分波されて、各受信器１１ａ〜１１ｈで受信される。
【００３１】
また、第２の送受信端において複数の送信器１５ａ〜１５ｈから送出された送信信号は、導波路グレーテング９で多重化され、導波路グレーテング９からサーキュレータ１８ｂを介して下り単方向伝送路１７ｂに送出される。この下り単方向伝送路１７ｂに送出された送信信号は、第１の送受信端において下り単方向伝送路１７ｂから第１の送受信端のサーキュレータ１８ａを介して導波路グレーテング３で受信され分波されて、各受信器５ａ〜５ｈで受信される。
【００３２】
図４は、本発明の第４の実施形態に係る双方向波長多重光通信システムの構成を示す図である。同図に示す双方向波長多重光通信システムは、図２に示した双方向波長多重光通信システムにおいて双方向伝送路７の代わりに上りおよび下り用の別々の単方向伝送路１７ａ，１７ｂを使用するとともに、そのために伝送路と導波路グレーテング１３，１９の間にサーキュレータ１８ａ，１８ｂを使用している点が異なるものであり、その他の構成および作用は同じである。
【００３３】
すなわち、第１の送受信端において複数の送信器１ａ〜１ｈから送出された送信信号は、複数のサーキュレータ１２ａ〜１２ｈを介して導波路グレーテング１３に入力されて多重化され、導波路グレーテング１３からサーキュレータ１８ａを介して上り単方向伝送路１７ａに送出される。この上り単方向伝送路１７ａに送出された送信信号は、第２の送受信端において上り単方向伝送路１７ａからサーキュレータ１８ｂを介して導波路グレーテング１９で受信されて分波されて、各受信器１１ａ〜１１ｈで受信される。
【００３４】
また、第２の送受信端において複数の送信器１５ａ〜１５ｈから送出された送信信号は、複数のサーキュレータ２０ａ〜２０ｈを介して導波路グレーテング１９に入力されて多重化され、導波路グレーテング１９からサーキュレータ１８ｂを介して下り単方向伝送路１７ｂに送出される。この下り単方向伝送路１７ｂに送出された送信信号は、第１の送受信端において下り単方向伝送路１７ｂからサーキュレータ１８ａを介して導波路グレーテング１３で受信されて分波されて、各受信器５ａ〜５ｈで受信される。
【００３５】
図５は、本発明の第５の実施形態に係る双方向波長多重光通信システムの構成を示す図である。同図に示す双方向波長多重光通信システムは、第１の送受信端と第２の送受信端との間で上りおよび下り用の別々の単方向伝送路１７ａ，１７ｂを使用して双方向波長多重光通信を行うものであるが、共通化合分波器として１波長分ずつずれる周期的特性を有する周期性導波路グレーテング２３，２９を使用しているものである。
【００３６】
図５に示す双方向波長多重光通信システムに使用されている周期性導波路グレーテング２３，２９は、図６に示すようなチャネル関係を有し、伝送路側の２ポートからの入力のうち一方に対して他方が１波長ずつずれるような周期的特性を有するものである。
【００３７】
すなわち、第１および第２の送受信端にそれぞれ使用されている周期性導波路グレーテング２３，２９は、複数の送信器１ａ〜１ｈおよび受信器５ａ〜５ｈが接続された第１乃至第１６の複数の送受信端側ポートと上り単方向伝送路１７ａに接続された第１の伝送路側ポートおよび下り単方向伝送路１７ｂに接続される２の伝送路側ポートを有する。
【００３８】
周期性導波路グレーテング２３，２９は、それぞれλ１〜λ１６の複数の波長の多重化信号光が第１の伝送路側ポートから周期性導波路グレーテング２３，２９に入力されると、該λ１〜λ１６の複数の波長の多重化信号光は周期性導波路グレーテング２３，２９で分波され、第１乃至第１６の複数の送受信端側ポートから別々に出力されるように機能する。また、λ１〜λ１６の複数の波長の多重化信号光が周期性導波路グレーテング２３，２９の第２の伝送路側ポートに入力されると、図６のチャネル関係図に示すように、λ１〜λ１６の複数の波長のうちλ１〜λ１５の複数の波長の多重化信号光が分波され１波長ずつずらされて、第２乃至第１６の送受信端側ポートから別々に出力されるように機能する。
【００３９】
更に、周期性導波路グレーテング２３，２９は、λ１〜λ１６の複数の波長の信号光が周期性導波路グレーテング２３，２９の第１乃至第１６の複数の送受信端側ポートに入力されると、該λ１〜λ１６の複数の波長の信号光は周期性導波路グレーテング２３，２９で多重化され、第１の伝送路側ポートから出力され、λ１〜λ１５の複数の波長の信号光が第２乃至第１６の送受信端側ポートに入力されると、該λ１〜λ１５の複数の波長の信号光は多重化され、第２の伝送路側ポートから出力されるように機能する。
【００４０】
上述したように機能する周期性導波路グレーテング２３，２９を第１および第２の送受信端にそれぞれ使用した双方向波長多重光通信システムにおいて、第１の送受信端では、周期性導波路グレーテング２３の第１の伝送路側ポートを第２の送受信端に信号光を伝送する上り単方向伝送路１７ａに接続し、周期性導波路グレーテング２３の第２の伝送路側ポートを第２の送受信端から信号光が伝送されてくる下り単方向伝送路１７ｂに接続する。また、第２の送受信端では、周期性導波路グレーテング２９の第１の伝送路側ポートを第１の送受信端から信号光が伝送されてくる上り単方向伝送路１７ａに接続し、周期性導波路グレーテング２９の第２の伝送路側ポートを第１の送受信端に信号光を伝送する下り単方向伝送路１７ｂに接続する。
【００４１】
また、第１の送受信端において、λ１，λ３，λ５〜λ１５の複数の波長をそれぞれ送信する複数の送信器１ａ〜１ｈを周期性導波路グレーテング２３の第１、第３、…、第１５の奇数番目の送受信端側ポートに接続し、λ１，λ３，λ５〜λ１５の複数の波長をそれぞれ受信する複数の受信器５ａ〜５ｈを周期性導波路グレーテング２３の第２、第４、…、第１６の偶数番目の送受信端側ポートに接続する。第２の送受信端においては、λ１，λ３，λ５〜λ１５の複数の波長をそれぞれ受信する複数の受信器１１ａ〜１１ｈを周期性導波路グレーテング２９の第１、第３、…、第１５の奇数番目の送受信端側ポートに接続し、λ１，λ３，λ５〜λ１５の複数の波長をそれぞれ送信する複数の送信器１５ａ〜１５ｈを周期性導波路グレーテング２９の第２、第４、…、第１６の偶数番目の送受信端側ポートに接続する。
【００４２】
上述したように接続した双方向波長多重光通信システムにおいて、第１の送受信端の複数の送信器１ａ〜１ｈからλ１，λ３，λ５〜λ１５の奇数番目の複数の波長の信号光が周期性導波路グレーテング２３の第１、第３、…、第１５の複数の奇数番目の送受信端側ポートに入力されると、該複数の波長の信号光は周期性導波路グレーテング２３で多重化され、この多重化されたλ１，λ３，λ５〜λ１５の複数の波長の信号光は周期性導波路グレーテング２３の第１の伝送路側ポートから上り単方向伝送路１７ａに送出される。
【００４３】
この上り単方向伝送路１７ａに送出されたλ１，λ３，λ５〜λ１５の複数の波長の多重化信号光は、第２の送受信端の周期性導波路グレーテング２９の第１の伝送路側ポートに入力して、周期性導波路グレーテング２９で分波され、周期性導波路グレーテング２９の第１、第３、…、第１５の奇数番目の複数の送受信端側ポートから別々に出力され、複数の受信器１１ａ〜１１ｈで受信される。
【００４４】
また、第２の送受信端の複数の送信器１５ａ〜１５ｈからλ１，λ３，λ５〜λ１５の奇数番目の複数の波長の信号光が周期性導波路グレーテング２９の第２、第４、…、第１６の複数の偶数番目の送受信端側ポートに入力されると、該複数の波長の信号光は周期性導波路グレーテング２９で多重化され、この多重化されたλ１，λ３，λ５〜λ１５の複数の波長の信号光は周期性導波路グレーテング２９の第２の伝送路側ポートから下り単方向伝送路１７ｂに送出される。
【００４５】
この下り単方向伝送路１７ｂに送出されたλ１，λ３，λ５〜λ１５の複数の波長の多重化信号光は、第１の送受信端の周期性導波路グレーテング２３の第２の伝送路側ポートに入力し、周期性導波路グレーテング２３で分波され、周期性導波路グレーテング２３の第２、第４、…、第１６の偶数番目の複数の送受信端側ポートから別々に出力され、複数の受信器５ａ〜５ｈで受信される。
【００４６】
図７は、本発明の第６の実施形態に係る双方向波長多重光通信システムの構成を示す図である。同図に示す双方向波長多重光通信システムは、図５に示した第５の実施形態と同様に第１の送受信端と第２の送受信端との間で上りおよび下り用の別々の単方向伝送路１７ａ，１７ｂを使用して双方向波長多重光通信を行うとともに、共通化合分波器として１波長分ずつずれる周期的特性を有する周期性導波路グレーテング３３，３９を使用することに加えて、一部を除く送受信信号に対してサーキュレータ３２ｂ〜３２ｈおよび４０ｂ〜４０ｈを使用して、送信信号を周期性導波路グレーテング３３，３９に供給し、受信信号を周期性導波路グレーテング３３，３９から取り出すようにして、同一の複数の波長λ１〜λ８を送受信し得るものである。
【００４７】
図７に示す双方向波長多重光通信システムに使用されている周期性導波路グレーテング３３，３９は、図８に示すようなチャネル関係を有し、伝送路側の２ポートからの入力のうち一方に対して波長が１波長ずつずれるような周期的特性を有するものである。
【００４８】
すなわち、第１および第２の送受信端にそれぞれ使用されている周期性導波路グレーテング３３，３９は、送信器１ａ〜１ｈまたは１５ａ〜１５ｈおよび受信器５ａ〜５ｈまたは受信器１１ａ〜１１ｈが直接またはサーキュレータ３２ｂ〜３２ｈまたは４０ｂ〜４０ｈを介して接続された第１乃至第９の複数の送受信端側ポートと上り単方向伝送路１７ａに接続された第１の伝送路側ポートおよび下り単方向伝送路１７ｂに接続される２の伝送路側ポートを有する。
【００４９】
周期性導波路グレーテング３３，３９は、それぞれλ１〜λ８の複数の波長の多重化信号光が第１の伝送路側ポートから入力されると、λ１〜λ８の波長は分波されて、それぞれ第１乃至第８の送受信端側ポートから別々に出力され、λ１〜λ８の複数の波長がそれぞれ第１乃至第８の複数の送受信端側ポートから入力されると、λ１〜λ８の複数の波長は多重化されて第１の伝送路側ポートから出力され、λ１〜λ８の複数の波長の多重化信号光が第２の伝送路側ポートから入力されると、第１乃至第８の波長は分波されるとともに、図８に示すチャネル関係図に示すように、１波長分ずつずれて、それぞれ第２乃至第９の送受信端側ポートから別々に出力され、λ１〜λ８の複数の波長がそれぞれ第２乃至第９の複数の送受信端側ポートから入力されると、λ１〜λ８の複数の波長は多重化されて第２の伝送路側ポートから出力されるように機能する。
【００５０】
また、複数、すなわち第２乃至第８のサーキュレータ３２ｂ〜３２ｈ、および複数、すなわち第２乃至第８のサーキュレータ４０ｂ〜４０ｈは、各々の入出力端が周期性導波路グレーテング３３，３９の第２乃至第８の送受信端側ポートに接続されている。
【００５１】
更に、第１の送受信端においては、周期性導波路グレーテング３３の第１の伝送路側ポートを第２の送受信端に信号光を伝送する上り単方向伝送路１７ａに接続し、周期性導波路グレーテング３３の第２の伝送路側ポートを第１の送受信端から信号光が伝送されてくる下り単方向伝送路１７ｂに接続する。そして、第２の送受信端に送信すべきλ１〜λ８の波長の複数の信号光のうち、第１の送信器１ａからのλ１の波長の信号光は周期性導波路グレーテング３３の第１の送受信端側ポートに直接入力され、λ１〜λ８の波長の複数の信号光はそれぞれ第２乃至第８のサーキュレータ３２ｂ〜３２ｈの入力端から入出力端を介して周期性導波路グレーテング３３の第２乃至第８の送受信端側ポートに入力され、第１乃至第８の送受信端側ポートに入力されたλ１〜λ８の複数の波長は周期性導波路グレーテング３３で多重化されて、第１の伝送路側ポートから上り単方向伝送路１７ａに送出され、下り単方向伝送路１７ｂから周期性導波路グレーテング３３の第２の伝送路側ポートに入力するλ１〜λ８の波長の複数の多重化信号光は周期性導波路グレーテング３３で分波され、λ１〜λ７の波長の複数の信号光が第２乃至第８の送受信端側ポートから第２乃至第８のサーキュレータ３２ｂ〜３２ｈの入出力端を介して該サーキュレータの出力端から出力され、それぞれ受信器５ａ〜５ｇで受信され、λ８の波長の信号光は第９の送受信端側ポートから直接出力され、受信器５ｈで受信される。
【００５２】
また、第２の送受信端においては、周期性導波路グレーテング３９の第１の伝送路側ポートを第１の送受信端から信号光が伝送されてくる上り単方向伝送路１７ａに接続し、周期性導波路グレーテング３９の第２の伝送路側ポートを第１の送受信端に信号光を伝送する下り単方向伝送路１７ｂに接続する。そして、上り単方向伝送路１７ａから周期性導波路グレーテング３９の第１の伝送路側ポートに入力するλ１〜λ８の波長の複数の多重化信号光は周期性導波路グレーテング３９で分波され、この分波された複数の信号光のうちλ１の波長の信号光は周期性導波路グレーテング３９の第１の送受信端側ポートから直接出力され、第１の受信器１１ａで受信され、λ２〜λ８の波長の複数の信号光はそれぞれ第２乃至第８のサーキュレータ４０ｂ〜４０ｈの入出力端を介して出力端から出力され、第２乃至第８の受信器１１ａ〜１１ｈで受信される。
【００５３】
また、複数の送信器１５ａ〜１５ｈから第１の送受信端に送信すべきλ１〜λ８の波長の複数の信号光のうち、λ１〜λ７の波長の複数の信号光は第２乃至第８のサーキュレータ４０ｂ〜４０ｈの入力端から入出力端を介して周期性導波路グレーテング３９の第２乃至第８の送受信端側ポートに入力され、λ８の波長の信号光は周期性導波路グレーテング３９の第９の送受信側入出力ポートに直接入力し、第２乃至第９の送受信端側ポートに入力されたλ１〜λ８の複数の波長は周期性導波路グレーテング３９で多重化されて、第２の伝送路側ポートから下り単方向伝送路１７ｂに送出される。
【００５４】
図９は、本発明の第７の実施形態に係る双方向波長多重光通信システムの構成を示す図である。同図に示す双方向波長多重光通信システムは、図７に示した第６の実施形態の双方向波長多重光通信システムにおいて周期性導波路グレーテング３３，３９の代わりに第１乃至第８の送受信端側ポートと第１および第２の伝送路側ポートを有する周期性導波路グレーテング４３，４９を使用するとともに、第６の実施形態の周期性導波路グレーテング３３，３９において波長が１波長ずつずれて第９の送受信端側ポートから出力されていた第８番目の波長を図１０のチャネル関係図に示すように第１の送受信端側ポートから出力されるように周期性導波路グレーテング４３，４９を構成し、かつ第１のサーキュレータ３２ａを追加し、この第１のサーキュレータ３２ａの入出力端を周期性導波路グレーテング４３，４９の第１の送受信端側ポートに接続するように構成した点が異なるものであり、その他の構成および作用は同じである。
【００５５】
すなわち、第１および第２の送受信端にそれぞれ使用されている周期性導波路グレーテング４３，４９は、第１乃至第８の複数の送受信端側ポートと単方向伝送路にそれぞれ接続される第１および第２の伝送路側ポートを有し、λ１〜λ８の複数の波長の多重化信号光が第１の伝送路側ポートから入力されると、λ１〜λ８の波長は分波されて、この分波されたλ１〜λ８の波長の複数の信号光はそれぞれ周期性導波路グレーテング４３，４９の第１乃至第８の送受信端側ポートから別々に出力され、λ１〜λ８の複数の波長の信号光がそれぞれ第１乃至第８の複数の送受信端側ポートから入力されると、λ１〜λ８の複数の波長は多重化されて第１の伝送路側ポートから出力され、λ１〜λ８の複数の波長の多重化信号光が第２の伝送路側ポートから入力されると、λ１〜λ８の波長は分波されて、この分波されたλ１〜λ８の波長のうち、λ１〜λ７の波長の信号光は周期性導波路グレーテング４３，４９の第２乃至第８の送受信端側ポートから別々に出力され、第８の波長の信号光は周期性導波路グレーテング４３，４９の第１の送受信端側ポートから出力され、λ１〜λ７の波長の信号光が周期性導波路グレーテング４３，４９の第２乃至第８の複数の送受信端側ポートに入力され、第８の波長の信号光が第１の送受信端側ポートに入力されると、この入力されたλ１〜λ８の複数の波長は多重化されて第２の伝送路側ポートから出力されるように機能する。
【００５６】
また、第１の送受信端において第１乃至第８のサーキュレータ３２ａ〜３２ｈは、入出力端が周期性導波路グレーテング４３の第１乃至第８の送受信端側ポートに接続され、入力端が送信器１ａ〜１ｈの出力に接続され、出力端が受信器５ｈ，５ａ〜５ｇに接続されている。また同様に、第２の送受信端において第１乃至第８のサーキュレータ４０ａ〜４０ｈは、入出力端が周期性導波路グレーテング４９の第１乃至第８の送受信端側ポートに接続され、出力端が受信器１１ａ〜１１ｈの入力に接続され、入力端が送信器１５ｈ，１５ａ〜１５ｇに接続されている。
【００５７】
そして、第１の送受信端においては、周期性導波路グレーテング４３の第１の伝送路側ポートを第２の送受信端に信号光を伝送する上り単方向伝送路１７ａに接続し、周期性導波路グレーテング４３の第２の伝送路側ポートを第２の送受信端から信号光が伝送されてくる下り単方向伝送路１７ｂに接続する。また、第２の送受信端においては、周期性導波路グレーテング４９の第１の伝送路側ポートを第１の送受信端から信号光が伝送されてくる上り単方向伝送路１７ａに接続し、周期性導波路グレーテング４９の第２の伝送路側ポートを第１の送受信端に信号光を伝送する下り単方向伝送路１７ｂに接続する。
【００５８】
第１の送受信端において、送信器１ａ〜１ｈから出力される第２の送受信端に送信すべきλ１〜λ８の波長の複数の信号光は、それぞれ第１乃至第８のサーキュレータ３２ａ〜３２ｈの入力端から入出力端を介して周期性導波路グレーテング４３の第１乃至第８の送受信端側ポートに入力され、周期性導波路グレーテング４３で多重化されて、第１の伝送路側ポートから上り単方向伝送路１７ａに送出される。この上り単方向伝送路１７ａに送出されたλ１〜λ８の波長の複数の多重化信号光は、第２の送受信端において周期性導波路グレーテング４９の第１の伝送路側ポートで受信されて分波され、この分波されたλ１〜λ８の波長の信号光は、周期性導波路グレーテング４９の第１乃至第８の送受信端側ポートから第１乃至第８のサーキュレータ４０ａ〜４０ｈの入出力端を介して出力端に出力され、受信器１１ａ〜１１ｈで受信される。
【００５９】
また、第２の送受信端において、送信器１５ａ〜１５ｈから出力される送信すべきλ１〜λ８の波長の複数の信号光は、それぞれ第２乃至第８および第１のサーキュレータ４０ｂ〜４０ｈ，４０ａの入力端から入出力端を介して周期性導波路グレーテング４９の第２乃至第８および第１の送受信端側ポートに入力され、この入力したλ１〜λ８の複数の波長の信号光は周期性導波路グレーテング４９で多重化されて、第２の伝送路側ポートから下り単方向伝送路１７ｂに送出される。この下り単方向伝送路１７ｂに送出されたλ１〜λ８の波長の複数の信号光は、第１の送受信端において周期性導波路グレーテング４３の第２の伝送路側ポートで受信されて分波され、第２乃至第８および第１の送受信端側ポートから出力され、第２乃至第８および第１のサーキュレータ３２ｂ〜３２ｈ，３２ａの入出力端から出力端を介して出力され、受信器５ａ〜５ｈで受信される。
【００６０】
【発明の効果】
以上説明したように、本発明によれば、第１の送受信端において送信すべき複数の異なる波長の信号光は共通化合分波器で多重化されて双方向伝送路に送信されて、第２の送受信端において共通化合分波器で受信され分波されて出力され、また第２の送受信端において送信すべき複数の異なる波長の信号光は共通化合分波器で多重化されて双方向伝送路に送信されて、第１の送受信端において共通化合分波器で受信され分波されて出力されるので、共通化合分波器が送受信で共通化され、効率的で経済的な合分波を行うことができる。
【００６１】
また、本発明によれば、第１の送受信端において送信すべき複数の異なる波長の信号光は複数のサーキュレータの入力端から入出力端を介して共通化合分波器に入力し多重化されて双方向伝送路に送信され、第２の送受信端において共通化合分波器で受信されて分波され、複数のサーキュレータの入出力端から出力端を介して出力され、また第２の送受信端において送信すべき複数の異なる波長の信号光は複数のサーキュレータの入力端から入出力端を介して共通化合分波器に入力し多重化されて双方向伝送路に送信され、第１の送受信端において共通化合分波器で受信されて分波され、複数のサーキュレータの入出力端から出力端を介して出力されるので、共通化合分波器が送受信で共通化され、効率的で経済的な合分波を行うことができるとともに、また送受信で同じ複数の波長を使用することができる。
【００６２】
更に、本発明によれば、第１の送受信端において送信すべき複数の異なる波長の信号光は共通化合分波器で多重化され、サーキュレータの入出力端から出力端を介して双方向伝送路に送信されて、第２の送受信端においてサーキュレータの入力端から入出力端を介して共通化合分波器で受信され分波されて出力され、また第２の送受信端において送信すべき複数の異なる波長の信号光は共通化合分波器で多重化され、サーキュレータの入出力端から出力端を介して双方向伝送路に送信され、第１の送受信端においてサーキュレータの入力端から入出力端を介して共通化合分波器で受信され分波されて出力されるので、共通化合分波器が送受信で共通化され、効率的で経済的な合分波を行うことができる。
【００６３】
本発明によれば、第１の送受信端において送信すべき複数の異なる波長の信号光は第２の複数のサーキュレータの入力端から入出力端を介して共通化合分波器に入力し多重化されて第１のサーキュレータの入出力端から出力端を介して双方向伝送路に送信され、第２の送受信端において第１のサーキュレータの入力端から入出力端を介して共通化合分波器で受信されて分波され、第２の複数のサーキュレータの入出力端から出力端を介して出力され、また第２の送受信端において送信すべき複数の異なる波長の信号光は第２の複数のサーキュレータの入力端から入出力端を介して共通化合分波器に入力し多重化されて第１のサーキュレータの入出力端から出力端を介して双方向伝送路に送信され、第１の送受信端において第１のサーキュレータの入力端から入出力端を介して共通化合分波器で受信されて分波され、第２の複数のサーキュレータの入出力端から出力端を介して出力されるので、共通化合分波器が送受信で共通化され、効率的で経済的な合分波を行うことができるとともに、また送受信で同じ複数の波長を使用することができる。
【００６４】
また、本発明によれば、第１の送受信端において送信すべき複数の異なる波長の信号光は共通化合分波器で多重化されて一方の単方向伝送路に送信されて、第２の送受信端において共通化合分波器で受信され分波されて出力され、また第２の送受信端において送信すべき複数の異なる波長の信号光は共通化合分波器で多重化されて他方の単方向伝送路に送信されて、第１の送受信端において共通化合分波器で受信され分波されて出力されるので、共通化合分波器が送受信で共通化され、効率的で経済的な合分波を行うことができる。
【００６５】
更に、本発明によれば、第１の送受信端において送信すべき複数の異なる波長の信号光のうち第１の波長の信号光は共通化合分波器に直列入力され、第２以降の複数の波長の信号光は複数のサーキュレータの入力端から入出力端を介して共通化合分波器に入力されて、多重化され、一方の単方向伝送路に送信され、第２の送受信端において共通化合分波器で受信されて分波され、第１の波長は共通化合分波器の第１の送受信端側ポートから出力されて受信され、第２以降の波長は複数のサーキュレータの入出力端から出力端を介して出力されて受信され、また第２の送受信端において送信すべき複数の異なる波長のうち、最後の波長を除く他の波長の複数の信号光は複数のサーキュレータの入力端から入出力端を介して共通化合分波器に入力され、最後の波長の信号光は共通化合分波器に直接入力されて、多重化され、他方の単方向伝送路に送信され、第１の送受信端において共通化合分波器で受信されて分波され、最後の波長を除く他の波長の複数の信号光は複数のサーキュレータの入出力端から出力端を介して出力され、最後の波長の信号光は共通化合分波器から直接出力されて受信されるので、共通化合分波器が送受信で共通化され、効率的で経済的な合分波を行うことができるとともに、また送受信で同じ複数の波長を使用することができる。
【００６６】
本発明によれば、第１の送受信端において送信すべき複数の異なる波長の信号光は複数のサーキュレータの入力端から入出力端を介して共通化合分波器に入力されて多重化され、一方の単方向伝送路に送信され、第２の送受信端において共通化合分波器で受信されて分波され、複数のサーキュレータの入出力端から出力端を介して出力されて受信され、また第２の送受信端において送信すべき複数の異なる波長の信号光は複数のサーキュレータの入力端から入出力端を介して共通化合分波器に入力されて多重化され、他方の単方向伝送路に送信され、第１の送受信端において共通化合分波器で受信されて分波され、複数のサーキュレータの入出力端から出力端を介して出力されて受信されるので、共通化合分波器が送受信で共通化され、効率的で経済的な合分波を行うことができるとともに、また送受信で同じ複数の波長を使用することができる。
【図面の簡単な説明】
【図１】本発明の第１の実施形態に係る双方向波長多重光通信システムの構成を示す図である。
【図２】本発明の第２の実施形態に係る双方向波長多重光通信システムの構成を示す図である。
【図３】本発明の第３の実施形態に係る双方向波長多重光通信システムの構成を示す図である。
【図４】本発明の第４の実施形態に係る双方向波長多重光通信システムの構成を示す図である。
【図５】本発明の第５の実施形態に係る双方向波長多重光通信システムの構成を示す図である。
【図６】図５に示す双方向波長多重光通信システムにおける周期性導波路グレーテングのチャネル関係を示す表である。
【図７】本発明の第６の実施形態に係る双方向波長多重光通信システムの構成を示す図である。
【図８】図７に示す双方向波長多重光通信システムにおける周期性導波路グレーテングのチャネル関係を示す表である。
【図９】本発明の第７の実施形態に係る双方向波長多重光通信システムの構成を示す図である。
【図１０】図９に示す双方向波長多重光通信システムにおける周期性導波路グレーテングのチャネル関係を示す表である。
【図１１】従来の双方向波長多重光通信システムの構成を示す図である。
【符号の説明】
１ａ〜１ｈ，１５ａ〜１５ｈ  送信器
３，９  導波路グレーテング
５ａ〜５ｈ，１１ａ〜１１ｈ  受信器
７  双方向伝送路
１２ａ〜１２ｈ，１８ａ，１８ｂ，２０ａ〜２０ｈ  サーキュレータ
１７ａ，１７ｂ  単方向伝送路
２３，２９，３３，３９，４３，４９  周期性導波路グレーテング
【図１】
0004507032.tif 000002
【図２】
0004507032.tif 000003
【図３】
0004507032.tif 000004
【図４】
0004507032.tif 000005
【図５】
0004507032.tif 000006
【図６】
0004507032.tif 000007
【図７】
0004507032.tif 000008
【図８】
0004507032.tif 000009
【図９】
0004507032.tif 000010
【図１０】
0004507032.tif 000011
【図１１】
0004507032.tif 000012